(57)【要約】【課題】名称欄とそれに対応する認証欄との結びつき関係が十分に確保されていることを前提に、上用紙の上から認証すべき用紙や認証欄の場所が容易に分かる帳票冊子を提供すること。【解決手段】少なくとも、当事者の名称欄を有する上用紙、及び、認証が必要な当事者の名称欄と認証欄とを有する中下用紙、を有する帳票冊子であって、下に位置する中下用紙には、その上に位置する上中用紙から見て延出している延出部分が該帳票冊子の１辺に存在し、該中下用紙のそれぞれの延出部分及び／又は上用紙に、（１）認証が必要な中下用紙がどれであるか、（２）それぞれの中下用紙のそれぞれの認証欄に認証が必要な当事者が誰であるか、及び、（３）該中下用紙の認証欄の場所がどこであるか、が、該上用紙の上部から見て分かるように示されていることを特徴とする帳票冊子。【選択図】図９
2010089314.tif 000002
【特許請求の範囲】
【請求項１】
少なくとも、当事者の名称欄を有する上用紙、及び、認証が必要な当事者の名称欄と認証欄とを有する中下用紙、を有する帳票冊子であって、下に位置する中下用紙にはその上に位置する上中用紙から見て延出している延出部分が該帳票冊子の１辺に存在し、該中下用紙のそれぞれの延出部分及び／又は上用紙に、（１）認証が必要な中下用紙がどれであるか、（２）それぞれの中下用紙のそれぞれの認証欄に認証が必要な当事者が誰であるか、及び、（３）該中下用紙の認証欄の場所がどこであるか、が、該上用紙の上部から見て分かるように示されていることを特徴とする帳票冊子。
【請求項２】
上記中下用紙のそれぞれの延出部分に、上記認証欄の少なくとも一部が存在することによって、（３）該中下用紙の認証欄の場所が示され、
上記中下用紙のそれぞれの延出部分に、（１）認証が必要な中下用紙がどれであるか、が示され、
上用紙に当事者の種類の記載があり、該延出部分に少なくともその一部が存在する認証欄が、上用紙の上部から見て、該上用紙のそれぞれの当事者の種類の記載に隣接して設けられていることによって、（２）それぞれの中下用紙のそれぞれの認証欄に認証が必要な当事者が誰であるか、が示されている請求項１記載の帳票冊子。
【請求項３】
上記認証欄に隣接して、認証した当事者の種類明示欄が存在し、該認証欄に認証した当事者が誰であるかが明確になるようになっている請求項２に記載の帳票冊子。
【請求項４】
上記認証欄に認識線が設けられている請求項２又は請求項３の何れかの請求項に記載の帳票冊子。
【請求項５】
上記中下用紙のそれぞれの延出部分に、上記認証欄の少なくとも一部が存在することによって、（３）該中下用紙の認証欄の場所が示され、
上記中下用紙のそれぞれの延出部分に、（１）認証が必要な中下用紙がどれであるか、が示され、
該延出部分に少なくともその一部が存在する認証欄が、上用紙の上部から見て、該上用紙のそれぞれの当事者の名称欄に隣接して設けられていることによって、（２）それぞれの中下用紙のそれぞれの認証欄に認証が必要な当事者が誰であるか、が示されている請求項１記載の帳票冊子。
【請求項６】
上記中下用紙のそれぞれの延出部分に、更に、該中下用紙の帳票の種類が記載されている請求項５記載の帳票冊子。
【請求項７】
上記認証欄に認識線が設けられている請求項５又は請求項６の何れかの請求項に記載の帳票冊子。
【請求項８】
上記中下用紙のそれぞれの延出部分に、認証欄指示マークが存在することによって、（１）認証が必要な中下用紙がどれであるか、が示され、
該認証欄指示マークがそれぞれの中下用紙の認証欄に隣接して設けられていることによって、（３）該中下用紙の認証欄の場所が示され、
該認証欄指示マークが、上用紙の上部から見て、該上用紙のそれぞれの当事者の名称欄に隣接して設けられていることによって、（２）それぞれの中下用紙のそれぞれの認証欄に認証が必要な当事者が誰であるか、が示されている請求項１記載の帳票冊子。
【請求項９】
上記中下用紙のそれぞれの延出部分の延出幅が０．３〜１０ｍｍである請求項８に記載の帳票冊子。
【請求項１０】
上記認証欄指示マークが、中下用紙の帳票の種類ごとに色分けされている請求項８又は請求項９に記載の帳票冊子。
【請求項１１】
上記上用紙の上に、更に説明用紙を有する帳票冊子であって、該説明用紙に、上記認証欄指示マークに隣接する認証欄に認証が必要な当事者が誰であるかが、認証欄指示マークごとに示されている請求項８ないし請求項１０の何れかの請求項に記載の帳票冊子。
【請求項１２】
認証欄又は認証欄指示マークが並んだ辺と直交する辺において、帳票冊子の全ての用紙が綴じられている請求項５ないし１１の何れかの請求項に記載の帳票冊子。
【請求項１３】
上記延出部分が存在する帳票冊子において、該延出部分が存在する辺と直角に位置する辺にも直交延出部分が存在し、該直交延出部分に、用紙のそれぞれの内容が記載されている請求項１ないし請求項１２の何れかの請求項に記載の帳票冊子。
【請求項１４】
上記上用紙の上に、更に説明用紙を有する帳票冊子であって、該説明用紙に、上用紙の上から見える認証欄の少なくとも一部又は認証欄指示マークが、それぞれ当事者の誰に対応するかが示されている請求項１ないし請求項１３の何れかの請求項に記載の帳票冊子。
【請求項１５】
消費者向けのものである請求項１ないし請求項１４の何れかの請求項に記載の帳票冊子。
【請求項１６】
上記帳票冊子の帳票が、クレジット申込書、同意書、確認書、物件受領書、入会申込書、保険契約申込書、加入依頼書、口座設定申込書、クレジット契約書、リース契約書、不動産賃貸借契約書及び／又は口座振替依頼書である請求項１ないし請求項１５の何れかの請求項に記載の帳票冊子。
【請求項１７】
上記当事者が、契約者、申込者、連帯保証人、連帯保証人予定者、保証人、保証人予定者及び／又は口座名義人である請求項１ないし請求項１６の何れかの請求項に記載の帳票冊子。
【請求項１８】
上用紙及び中下用紙が複写紙である請求項１ないし請求項１７の何れかの請求項に記載の帳票冊子。
【発明の詳細な説明】
【技術分野】
【０００１】
本発明は複数枚で構成される帳票冊子に関し、更に詳しくは、「当事者の名称欄を有する上用紙」及び「認証をするための認証欄と該認証が必要な当事者の名称欄とを有する中下用紙」を有する帳票冊子に関する。
【背景技術】
【０００２】
事業者が消費者向けに、募集、異動の届出等の目的で備える複数枚の帳票で構成される帳票冊子においては、当事者の名称を示す名称欄と当事者が捺印・サインといった文書の成立・記載が正当な手続きでなされたことを証明する認証手続きのための認証欄が設けられており、両者は当事者がその契約を認証している証という性質があるため、名称欄と認証欄は固有の関係、すなわち強い結び付きがある。また、認証をする当事者としては、申込者等の直接の消費者、契約者等以外にも、連帯保証人、保証人、口座名義人等、複数存在することが多い。
【０００３】
また、事業者が消費者向けに、募集、異動の届出等の目的で備える複数枚の帳票で構成される帳票冊子においては、各用紙は、契約書、個人情報に関する同意書、口座振替依頼書等、契約成立後の権利義務に関する書類となっていることが多い。
【０００４】
そして、複数枚で構成される帳票冊子においては、申込者等、主たる当事者の名称欄は、通常最初に記載を始めるために用紙の左上周辺に存在し、認証欄は署名捺印といった慣習から名称欄の右周辺等に存在する。そして、複数枚の記入を簡易に行うため、複写用紙が用いられ、各名称欄、その他記載内容は、上用紙からワンライティングで記入されることにより、中用紙から下用紙まで複写される。
【０００５】
記載終了後、認証をするに際して、認証欄が上用紙より下に位置する用紙に存在する場合、上用紙の上からでは目視できないために、認証は各用紙をめくって認証欄を探し、その用紙での記載内容を確認してから用紙ごとに行う。
【０００６】
以上に述べたように、当事者は、認証手続きを行うために、書類である各用紙をめくって認証欄を探し、その用紙での記載内容を確認してから、用紙ごとに行うのが建前である。そして、従来の複数枚で構成される契約申込書等の問題点は、認証欄自体、認証欄のある用紙、その用紙での認証欄の場所等が、帳票冊子の上から（上用紙の上から）目視できず、複数枚から構成される立体性のために、当事者には帳票の構成自体が分かり難かった。
【０００７】
その結果、重要な書面への認証であるにもかかわらず、消費者等の当事者は、認証欄を探すのに困惑して気を取られ、上用紙より下に存在する書面の内容を十分に理解しないままに、代理店、販売店といった事業者側の誘導に基づいて、捺印、サイン等の認証を行うことが多かった。更に言えば、複数枚で構成される帳票冊子の認証欄がどこに存在するのかが分かり難いということが発端となり、当事者が自律的に書面を理解してから認証手続きを行うこと自体が困難となっている場合もあった。そして、このことが不適切な勧誘等消費者問題の温床となり、契約成立後の法的トラブルの原因の一つとなっていた。
【０００８】
そこで、事業者側の認証手続きを簡便に行う手法としては、特許文献１（伝票）、特許文献２（保険契約申込書綴）等に記載がある。しかしながら、特許文献１は、事務処理伝票において、承認印のための捺印箇所を表出させることで捺印を簡便に行えるようにしただけであり、帳票に認証手続きをする当事者が、自己の認証欄がどの用紙にあるのかを容易に認識できるものではなく、また、各用紙において、認証欄が名称欄と固有の関係を確保している構造にはなっていない。また、特許文献２においても、押印欄を表出させて押印動作を容易かつ効率的に行えるが、ここでの印は、事業者又は事業者の代理店が用いる保険料収納済印であり、更には、特許文献１の場合と同様の問題点もあった。
【０００９】
すなわち、これらの技術では、名称欄と認証欄との結び付きの関係を確実に確保することができなかった。「署名捺印」という語があるように、両者が一体となっているような慣習があることに加え、名称欄から離れた捺印は捨印とみなされ、認証を行ったとはみなされない場合がある。更に、複数の当事者が存在し、２人の当事者が同姓であった場合、認証手続きが捺印の場合、誰の捺印なのかが分からなくなってしまう場合もあった。
【００１０】
このような理由で、従来の認証行為を容易にした技術は、名称欄と認証欄の結び付きの関係を確保できていなかった。上記で述べた特許文献１及び特許文献２の技術を用いて、上用紙より下に位置する用紙の捺印欄を表出させても、名称欄と認証欄の固有の関係を確保する構造を持たないため、これらの技術は、名称欄と認証欄が存在する複数枚からなる帳票冊子の認証手続きについて、認証行為を容易にすることはできても、認証の役割や効果を犠牲にしてしまっているため実用的ではなかった。
【００１１】
【特許文献１】実開昭５２−１１６３２０号公報
【特許文献２】実開平０４−１１５６８５号公報
【発明の開示】
【発明が解決しようとする課題】
【００１２】
本発明は上記背景技術に鑑みてなされたものであり、その課題は、それぞれの用紙の各名称欄とそれに対応する認証欄との結びつき関係が十分に確保されていることを前提に、捺印等をする、すなわち認証をする当事者、及び、帳票を作成したい、すなわち当事者に認証をしてもらいたい事業者の立場から以下の課題を解決した、未記入で未認証の帳票冊子を提供することにある。
【００１３】
＜当事者からの課題＞
自分が認証すべき用紙を容易に探し出せ、各用紙のそれぞれの認証欄に捺印等が必要な当事者が誰であるか、すなわち自分であるか否か、また、各用紙の認証欄の場所がどこであるかが容易に分かることである。好ましくは、中下用紙をめくらなくても上用紙の上から上記事項が容易に分かることである。
【００１４】
＜事業者からの課題＞
以下の「事業者からの課題」は、後述する本発明の態様１〜３の何れかで解決されているが、本発明の態様１〜３の全てで解決されているわけではない。
【００１５】
（１）当事者が、複数枚で構成される帳票冊子を上用紙の上部から見ただけで、どの用紙のどの場所に捺印等をすればよいかが容易に認識できるという特長を持たせつつ、従来の複数枚で構成された帳票冊子と同様に、認証手続きをするときには、当事者がその用紙を開かざるを得ないようにすることである。
【００１６】
当事者が捺印等をして認証をするときにその用紙を開かざるを得ないようにしておかなくてはならない第１の理由は、上用紙に記載された内容と中下用紙に記載された内容は一般には異なるので、当事者には必ず書面をあけて読んで欲しいためである。また、その第２の理由は、個人一般の顧客が、特にクレジットのような金銭的な義務を負う契約の場合、認証欄のある用紙を開かないまま認証手続きが可能であると、契約についてトラブルが生じた場合、その書面にトラブルについての事業者側の正当な理由となる内容が記載されていても、当事者から「内容を確認しなくても認証できる帳票となっているから内容を確認していない。」と弁明され、事業者側に法的な責任は生じないまでも、トラブル解決までに多大な手間と時間を要することになるためである。
【００１７】
（２）複数枚で構成される帳票冊子の各用紙にそれぞれ別の切り込みを入れることは、製造コストの上昇の要因となり、帳票を準備する事業者にとっての負担となるので、切り込を入れないか又はなるべく簡単な切り込みに抑えなくてはならないことである。
【００１８】
また、各用紙の裏面には約款や規約といった長い文章で満たされていることが多く、当事者が十分に目視できる文字の大きさを確保するために、上記当事者からの課題を解決する際、各用紙の面積は裏面の面積を最大限確保するために、用紙にはなるべく広い面積の切り込み等を入れないことである。実際に、割賦販売法では、割賦購入あっせんについての契約帳票については、約款について文字の大きさを８ポイント以上とするよう規定されている。
【００１９】
（３）申込書、契約書等の複数枚で構成されている帳票冊子は、申込、契約等の後、書類が各用紙単位に分離され、書類の性質上、帳票を準備する事業者は契約期間、法的な対抗要件の確保の目的で保管する必要がある。このため、各用紙のサイズは、例えばＡ４等のＪＩＳ規格と同一であるか又は最小限の差異となるようにしなければならないことである。
【００２０】
（４）複数枚で構成される帳票冊子の中に、口座依頼書のように銀行印を捺印するという認証手続きをしなければならない書面が含まれることがある。例えば、このような場合は、帳票を準備する事業者は、消費者等の当事者に対抗できるように、印鑑等の認証が汚れたり擦れたりしないような構造にしなければならないことである。
【００２１】
（５）当事者が書面を作成し、認証手続きを終了した後に、認証手続きを行った事実の確認が容易に行えるようにすることである。
【００２２】
（６）複数枚で構成される帳票冊子は、既に印刷をされたものも多く、帳票冊子を準備する事業者にとって、大幅な版下データの変更に、多大なコストや時間といった負担がかかることがある。従って、未記入、未認証の帳票冊子は、既存の版下の変更が最小限度になるような形態にしておくことである。
【課題を解決するための手段】
【００２３】
本発明者は、上記の課題を解決すべく鋭意検討を重ねた結果、下に位置する用紙に、その上に位置する用紙から見て延出している延出部分を設け、上用紙及び／又は中下用紙のそれぞれの延出部分に、特定の記載をしたり、延出部分を特定の場所に設けたりすることによって、上記課題が解決できることを見出して、本発明を完成するに至った。
【００２４】
すなわち本発明は、少なくとも、「当事者の名称欄を有する上用紙」、及び、「認証が必要な当事者の名称欄と認証欄とを有する中下用紙」を有する帳票冊子であって、下に位置する中下用紙にはその上に位置する上中用紙から見て延出している延出部分が該帳票冊子の１辺に存在し、該中下用紙のそれぞれの延出部分及び／又は上用紙に、
（１）認証が必要な中下用紙がどれであるか、
（２）それぞれの中下用紙のそれぞれの認証欄に認証が必要な当事者が誰であるか、
及び、
（３）該中下用紙の認証欄の場所がどこであるか、
が、該上用紙の上部から見て分かるように示されていることを特徴とする帳票冊子を提供するものである。
【００２５】
また、本発明は、
上記中下用紙のそれぞれの延出部分に、上記認証欄の少なくとも一部が存在することによって、（３）該中下用紙の認証欄の場所が示され、
上記中下用紙のそれぞれの延出部分に、（１）認証が必要な中下用紙がどれであるか、が示され、
上用紙に当事者の種類の記載があり、該延出部分に少なくともその一部が存在する認証欄が、上用紙の上部から見て、該上用紙のそれぞれの当事者の種類の記載に隣接して設けられていることによって、（２）それぞれの中下用紙のそれぞれの認証欄に認証が必要な当事者が誰であるか、が示されている
上記の帳票冊子を提供するものである。以下、この発明を態様１とする。
【００２６】
また、本発明は、
上記中下用紙のそれぞれの延出部分に、上記認証欄の少なくとも一部が存在することによって、（３）該中下用紙の認証欄の場所が示され、
上記中下用紙のそれぞれの延出部分に、（１）認証が必要な中下用紙がどれであるか、が示され、
該延出部分に少なくともその一部が存在する認証欄が、上用紙の上部から見て、該上用紙のそれぞれの当事者の名称欄に隣接して設けられていることによって、（２）それぞれの中下用紙のそれぞれの認証欄に認証が必要な当事者が誰であるか、が示されている
上記の帳票冊子を提供するものである。以下、この発明を態様２とする。
【００２７】
また、本発明は、
上記中下用紙のそれぞれの延出部分に、認証欄指示マークが存在することによって、（１）認証が必要な中下用紙がどれであるか、が示され、
該認証欄指示マークがそれぞれの中下用紙の認証欄に隣接して設けられていることによって、（３）該中下用紙の認証欄の場所が示され、
該認証欄指示マークが、上用紙の上部から見て、該上用紙のそれぞれの当事者の名称欄に隣接して設けられていることによって、（２）それぞれの中下用紙のそれぞれの認証欄に認証が必要な当事者が誰であるか、が示されている
上記の帳票冊子を提供するものである。以下、この発明を態様３とする。
【発明の効果】
【００２８】
本発明によれば、前記背景技術に記載の問題点を解消し、上記課題を解決し、名称欄と認証欄との通常の結合（結び付き）を維持したままで（すなわち、名称欄に名称が記載されている当事者が、認証欄に捺印等をしたことが他人に明確に認識できる状態で）、当事者にとっては、自分が認証すべき用紙を簡単にめくり出せ、各用紙のそれぞれの認証欄に自分が捺印等をする必要があるか否かが容易に分かり、また、自分が認証すべき認証欄が各用紙のどこであるかが容易に分かる帳票冊子を提供することができる。特に、中下用紙をめくらずに上用紙の上からでも上記事項が容易に分かる。
【００２９】
また、事業者にとっては、後になって当事者から「内容を確認しなくても認証できる構成になっていたので、各用紙の内容は確認していない」と主張されないように、当事者が認証手続きをするときには当事者がその用紙を開かざるを得ないようにし、帳票冊子の製造コストの減少や裏面の説明書きの面積を確保するために、切り込みをなくすか又は極めて簡単で小さい切り込みで、当事者に分かり易く認証させる帳票冊子を提供することができる。
【００３０】
また、認証後の帳票冊子は、通常、各用紙単位に分離されて保管されるが、その際、保管がし易く、また、捺印等の形状、印影等が汚れたり擦れたりしないような構造の帳票冊子を提供することができる。
【００３１】
その結果、当事者が書面の内容を十分理解した上で認証を行ったことが明確となり、法的トラブルを防止・抑制することができる。また、製造コスト的にも有利であり、各用紙を保存中も、認証が見にくくなることがない帳票冊子を提供することができる。
【発明を実施するための最良の形態】
【００３２】
以下、本発明について説明するが、本発明は、以下の具体的形態に限定されるものではなく、本発明の技術的思想の範囲内で任意に変形することができる。
【００３３】
＜定義＞
本発明において、「帳票」とは、帳簿、伝票等を示し、次のものに限定されはしないが、具体的には例えば、クレジット申込書、同意書、確認書、物件受領書、入会申込書、保険契約申込書、加入依頼書、口座設定申込書、クレジット契約書、リース契約書、不動産賃貸借契約書及び／又は口座振替依頼書等をいう。
本発明において、「帳票冊子」とは、まだ認証がなされていないもので、認証がなされれば帳票となるものであり、少なくとも、上用紙と中下用紙をこの順に重ねることによって構成されているものである。また、説明用紙を上用紙の更に上に有していてもよく、また、上用紙や中下用紙の間や下に、更に、認証欄を有さない「他の用紙」が挿入されていることを排除しないものである。
【００３４】
本発明において、「上用紙」とは、当事者の名称を、筆記具により記入したり印字により表示したりする際、直接記入や印字がなされる用紙をいう。
本発明において、「中下用紙」とは、中用紙と下用紙を総称していうものであり、中用紙又は下用紙の意味であり、名称欄及び／又は認証欄を有するものをいう。
本発明において、「用紙」とは、上用紙、中下用紙、説明用紙、又は他の用紙を総称していう。
本発明において、「延出部分」とは、下に位置する用紙の少なくとも１辺にあって、その上に位置する用紙から見て延出している部分をいい、上用紙の上から見える部分をいう。
【００３５】
本発明において、「当事者」とは、本発明の帳票冊子を構成する用紙の名称欄にその名称を記載すべき者であり、認証欄に捺印等をすることによって認証する者をいう。当事者は、自然人、法人、団体、組合、グループ等であり、「人」には限定されない。下記する者に限定されはしないが、具体的には、例えば、クレジット契約申込書においては、契約者、申込者、連帯保証人、連帯保証人予定者、保証人、保証人予定者、口座名義人等である。
【００３６】
本発明において、「名称欄」とは、当事者の名称を、例えば、筆記具により記入したり、印字により表示したりする欄をいう。
本発明において、「認証」とは、文書や帳票の成立や記載が正当な手続きでなされたことを証明する行為であり、例えば、印鑑を捺印（押印）したり、サインをしたり、シール等の貼付部材を貼り付けたり、チェックを入れたり、電磁的手段等を講じたりして行うものである。
本発明においては、認証する上記具体的行為を、単に「捺印等をする」と略記する場合がある。
本発明において、「印影」とは、認証された結果の記載をいう。
【００３７】
本発明において、「認証欄」とは、当事者が認証を行う欄をいう。
本発明において、「認証欄指示マーク」とは、少なくとも中下用紙に存在するマークであって、上用紙の上から見えるものであり、上用紙の上から見えない位置に認証欄が存在することを示し、中下用紙において認証欄に隣接しているか又は接続線で認証欄と結ばれていることによって、認証欄がどこにあるかを指示するマークである。
【００３８】
本発明において、「当事者の種類の記載」とは、上用紙にあって、当事者の種類が記載されているものである。
本発明において、「認証した当事者の種類明示欄」とは、中下用紙にあって、認証欄に隣接して設けられ、そこに捺印等をした当事者の種類が記載されているものである。
【００３９】
本発明において、「隣接する」とは、同じ用紙上で隣接しているときに用いられるのみならず、上用紙の上から見て、上用紙の一部の隣に見える（別の用紙である）中下用紙の一部も、隣接して見えさえすれば、互いにその一部同士は「隣接する」というものとする。また、「隣接」とは、完全に接している状態だけではなく、近傍にあったり、接続線で結ばれたりしていて、密接に関係していることが明らかに分かる状態も含むものとする。
【００４０】
本発明において、認識線とは、上用紙の上から認証欄の一部しか見えない場合に、認証欄の印影が上用紙の上から見えるように常にそれをまたいで捺印等をするように取り決めておく、認証欄の内部に設けられた線である。
【００４１】
＜本願発明＞
本発明は、少なくとも、「当事者の名称欄２１を有する上用紙１２」、及び、「認証が必要な当事者の名称欄２１と認証欄２２とを有する中下用紙１３」を有する帳票冊子１１であって、下に位置する中下用紙１３にはその上に位置する上中用紙から見て延出している延出部分３１が該帳票冊子１１の１辺に存在し、該中下用紙１３のそれぞれの延出部分３１及び／又は上用紙１２に、
（１）認証が必要な中下用紙１３がどれであるか、
（２）それぞれの中下用紙１３のそれぞれの認証欄２２に認証が必要な当事者が誰であるか、
及び、
（３）該中下用紙１３の認証欄２２の場所がどこであるか、
が、該上用紙１２の上部から見て分かるように示されていることを特徴とする帳票冊子１１である。
以下、上記発明を「本発明」という。そして、本発明を態様１、態様２及び態様３に大別し、以下、態様１から順番に説明する。
【００４２】
＜態様１＞
態様１は、上記本発明において、上記中下用紙１３のそれぞれの延出部分３１に、上記認証欄２２の少なくとも一部が存在することによって、（３）該中下用紙１３の認証欄２２の場所が示され、
上記中下用紙１３のそれぞれの延出部分３１に、（１）認証が必要な中下用紙１３がどれであるか、が示され、
上用紙１２に当事者の種類の記載２５があり、該延出部分３１に少なくともその一部が存在する認証欄２２が、上用紙１２の上部から見て、該上用紙１２のそれぞれの当事者の種類の記載２５に隣接して設けられていることによって、（２）それぞれの中下用紙１３のそれぞれの認証欄２２に認証が必要な当事者が誰であるか、が示されている
本発明の帳票冊子１１である。
【００４３】
図１〜６に態様１の一例の概略を示す。図１は、全体として４枚の用紙からなっている帳票冊子１１を用紙ごとに縦に並べて、それぞれの記載内容を示しているものである。上から、上用紙１２、１番上の中下用紙１３ａ、上から２番目の中下用紙１３ｂ、上から３番目の中下用紙１３ｃである。
【００４４】
上用紙１２には、名称欄２１が３個あり、上から、当事者Ａの名称欄２１Ａ、当事者Ｂの名称欄２１Ｂ、当事者Ｃの名称欄２１Ｃとなっており、当事者等は、上用紙１２の上から各人の名称を、例えば、筆記具により記入をしたり、タイプライター等を用いて印字により表示したりするようになっている。名称欄２１の記入は、当事者が行っても、事業者等が行ってもよいようになっている。本発明の帳票冊子１１は、それぞれの用紙が、ノンカーボン紙等の複写紙でできていて、上用紙１２に記入、印字等をしたときに、上用紙１２より下の中下用紙１３に複写されるようになっている、すなわちワンライティング形式になっていることが好ましい。
【００４５】
図１においては、上用紙１２には認証欄２２はないが、上用紙１２には認証欄２２があってもよい。当事者の種類の記載２５があり、そこには、申込者、連帯保証人、口座名義人等、各用紙に認証が必要な当事者の種類が記載してあり、それぞれの当事者が、上用紙１２の上から、（１）認証が必要な中下用紙１３がどれであるか、（２）それぞれの中下用紙１３のそれぞれの認証欄２２に認証が必要な当事者が誰であるか、すなわち、自分が認証すべき中下用紙１３がどれであるかが分かるようになっている。更に、上用紙１２の上から、（３）中下用紙１３の認証欄２２の場所が、それぞれの中下用紙１３のどこであるかが分かるようになっている。
【００４６】
図２に、上用紙１２の具体的な一例を示す。この上用紙１２の上から見れば、例えば申込者は、自分がどの中下用紙１３のどこの認証欄２２に捺印等をすればよいかが一目瞭然である。すなわち、態様１においては、上用紙１２の切り込み部分に隣接する「当事者の種類の記載２５」に、（１）認証が必要な中下用紙１３がどれであるか、及び、（２）それぞれの中下用紙１３のそれぞれの認証欄２２に認証が必要な当事者が誰であるかが示されていて、上用紙１２の上から見て、当事者がどの用紙のどの場所に捺印等を行えばよいかが分るようになっている。
【００４７】
図２に示した上用紙１２には、更に、同意書、契約書というように、中下用紙１３ａ、中下用紙１３ｂ等がどのような種類の帳票の用紙であるかを示す「帳票の種類の記載２４」がある。これによって、上用紙１２の上から見て、当事者が、認証が必要な中下用紙１３の帳票の種類が何であるかが分るようになっている。
【００４８】
図１の上用紙１２には、更に、上用紙１２の帳票の種類の記載２４がある。帳票の種類の記載２４は、用紙の上部にあることが好ましい。図２では、帳票の種類の記載２４は、「契約申込書」である。また、図２に示した上用紙１２のように、その下に位置する中下用紙１３の帳票の種類を、切れ込み部分に隣接して記載しておくことも好ましい。
【００４９】
図１の１番上の中下用紙１３ａには、当事者Ｃの認証は必要がないので、当事者Ａの名称欄２１Ａ及び当事者Ａの認証欄２２、並びに、当事者Ｂの名称欄２１Ｂ及び当事者Ｂの認証欄２２があり、当事者Ｃの名称欄２１Ｃはなく、当事者Ｃの認証欄２２もない。当事者Ｃは、上用紙１２の上から、中下用紙１３ａには自分の認証欄２２がないことを、その認証欄（「欄Ｐ」とする）に、斜線「／」、「×」等の捺印等が必要ない旨の記載があることによって分かるようになっている。また、上用紙１２において、欄Ｐの上にあたる部分に切れ込みがなく、中下用紙１３ａの欄Ｐが上用紙１２の上から見えなくなっていることによって、当事者Ｃが、上用紙１２の上から、中下用紙１３ａには自分の認証欄２２がないことを知るようになっていてもよい。
【００５０】
態様１においては、上記中下用紙１３のそれぞれの延出部分３１が、該中下用紙１３の上記認証欄２２自体になっている。そのことにより、上用紙１２の上から見て、（３）中下用紙１３の認証欄２２の場所が示されている。また、上記した通り、上用紙１２の切り込み部分に隣接して「当事者の種類の記載２５」があるので、すなわち、上用紙１２の上から見て中下用紙１３の認証欄２２の上部に「当事者の種類の記載２５」があるので、（１）認証が必要な中下用紙１３がどれであるか（例えば、「当事者の種類の記載２５」の下に位置する中下用紙１３の認証欄２２に、「×」、「／」等の捺印等が必要ない旨の記載があるか、又は、「印」等のマーク、空欄等があるかで判断できる）、及び、（２）それぞれの中下用紙１３のそれぞれの認証欄２２に認証が必要な当事者が誰であるかが示されているので、それぞれの当事者は、どの用紙のどの延出部分３１に自分が捺印等を行えばよいかが分かるようになっている。なお、延出部分３１、すなわち中下用紙１３の認証欄２２は、図１〜３においては全て左下に位置するが、上下左右どの辺にあってもよい。
【００５１】
図３は、態様１に係る帳票冊子１１を、それぞれの用紙を縦にばらして並べたときの斜視図である。当事者Ａは中下用紙１３ｃの所定の認証欄２２のみに、当事者Ｂは中下用紙１３ａの所定の認証欄２２のみに、当事者Ｃと当事者Ｄは中下用紙１３ａと中下用紙１３ｂの両方の所定の認証欄２２に、捺印等を行って認証すればよいことが、上用紙１２の上から分かる。なお、上用紙１２に名称欄２１がなく、下の方の中下用紙１３ｃにのみ認証欄２２がある当事者は、口座名義人であることが多い。
【００５２】
図１の中下用紙１３ａには、当事者Ａと当事者Ｂについて「認証した当事者の種類明示欄」２６があり、それに隣接する認証欄２２がどの当事者のものであるかが分かり易いようになっている。態様１においては、特に、認証欄２２に隣接して、「認証した当事者の種類明示欄」２６が存在し、該認証欄２２に認証した当事者が誰であるかが明確になるようになっていることが好ましい。
【００５３】
「認証した当事者の種類明示欄」２６は必須ではないが、態様１では、名称欄２１と認証欄２２が離れた位置にある場合があるので、「認証した当事者の種類明示欄」２６があることにより、認証欄２２の捺印等が捨印と間違えられるのを防ぐことができる。「認証した当事者の種類明示欄」２６は、全ての中下用紙１３にあってもよいし、一部の中下用紙１３にあってもよい。なお、上用紙１２の「当事者の種類の記載」２５は、上用紙１２の上から前記したことが分かるようにするために設けられるが、中下用紙１３の「認証した当事者の種類明示欄」２６は、主に、当事者と認証欄２２の結び付きの関係を確保でき、両者が一体となっている慣習に従って、名称欄２１から離れた捺印等であっても捨印とみなされないようにするために設けられる。
【００５４】
図１〜３では中下用紙１３に切り込み部分が存在し、延出部分３１は上用紙１２又は直ぐ上の中下用紙１３の切り込み部分に対して延出していたが、図４〜６に示す本発明の態様１の帳票冊子１１においては、延出部分３１は中下用紙１３（帳票冊子１１）の１辺全てに設けられている。図４〜６では、下辺全体が上用紙１２又は直ぐ上の中下用紙１３に対して延出している。なお、延出部分３１、すなわち中下用紙１３の認証欄２２は、図４〜６においては全て下辺に位置するが、上下左右どの辺にあってもよい。
【００５５】
図４〜６でも、中下用紙１３のそれぞれの延出部分３１に、上記認証欄２２の少なくとも一部が存在することによって、（３）該中下用紙１３の認証欄２２の場所が示されている。図４と図６では、延出部分３１に、認証欄２２の全体が存在することによって認証欄２２の場所が示されており、図５では、延出部分３１に認証欄２２の一部が存在することによって、中下用紙１３の認証欄２２の場所が示されている。
【００５６】
図４〜６でも、上用紙１２に当事者の種類の記載２５があり、延出部分３１に少なくともその一部が存在する認証欄２２が、上用紙１２の上部から見て、該上用紙１２のそれぞれの当事者の種類の記載２５に隣接して設けられていることによって、それぞれの中下用紙１３のそれぞれの認証欄２２に認証が必要な当事者が誰であるかが示されている。すなわち、図４、５において、例えば、申込者（当事者Ａ）は、上用紙１２の当事者の種類の記載２５に「申込者捺印欄」と記載されているのを上用紙１２の上から見て、それに隣接して（図４、５の場合は下に隣接して）、中下用紙１３に設けられている認証欄２２に、自分が捺印等をすればよいことが容易に分かる。すなわち、当事者の種類の記載２５を見れば、それに隣接する中下用紙１３のそれぞれの認証欄２２に認証が必要な当事者が誰であるかが分かるようになっている。
【００５７】
また逆に、認証欄２２が本来あるべきところに、斜線「／」、「×」等、捺印等をするべきでない旨が示されていて、それが上用紙１２の上から見えるようになっているので、例えば、当事者Ａは、上用紙１２の当事者の種類の記載２５に「当事者Ａ」、「当事者Ａ捺印欄」等と記載されているのを上用紙１２の上から見て、それに隣接している認証欄２２に、自分が捺印等をしてはいけない（又は、しなくてもよい）ことが容易に分かる。すなわち、当事者の種類の記載２５を見れば、それに隣接する中下用紙１３のそれぞれの認証欄２２に認証が必要又は不必要な当事者が誰であるかが分かるようになっている。
【００５８】
図４と図６では、延出部分３１に認証欄２２の全てが存在するが、図５では、延出部分３１に認証欄２２の一部が存在する。延出部分３１に認証欄２２の一部が存在しても、斜線「／」、「×」等の捺印等をするべきでない旨又は空欄等の認証すべき旨が、上用紙１２の上から見えるようになっていれば、中下用紙１３の認証欄２２の場所がどこであるかが分かり、認証が必要又は不必要な中下用紙１３がどれであるか、それぞれの中下用紙１３のそれぞれの認証欄２２に認証が必要又は不必要な当事者が誰であるかが分かる。
【００５９】
態様１では、それぞれの中下用紙１３の延出部分３１に、認証欄２２に隣接して「帳票の種類の記載２４」がある。それによって、当事者は、自分がどの用紙に捺印等をすればよいかが分かるのみならず、どのような種類の用紙に捺印等をするべきかが分かるようになっている。
【００６０】
図５には、認証欄２２の内部に認識線２７がある。認識線２７については後述する。
【００６１】
＜態様２＞
本発明は、少なくとも、「当事者の名称欄２１を有する上用紙１２」、及び、「認証が必要な当事者の名称欄２１と認証欄２２とを有する中下用紙１３」を有する帳票冊子１１であって、下に位置する中下用紙１３にはその上に位置する上中用紙から見て延出している延出部分３１が該帳票冊子１１の１辺に存在し、該中下用紙１３のそれぞれの延出部分３１及び／又は上用紙１２に、
（１）認証が必要な中下用紙１３がどれであるか、
（２）それぞれの中下用紙１３のそれぞれの認証欄２２に認証が必要な当事者が誰であるか、
及び、
（３）該中下用紙１３の認証欄２２の場所がどこであるか、
が、該上用紙１２の上部から見て分かるように示されていることを特徴とする帳票冊子１１である。
【００６２】
本発明における態様２は、上記本発明において、
上記中下用紙１３のそれぞれの延出部分３１に、上記認証欄２２の少なくとも一部が存在することによって、（３）該中下用紙１３の認証欄２２の場所が示され、
上記中下用紙１３のそれぞれの延出部分３１に、（１）認証が必要な中下用紙１３がどれであるか、が示され、
該延出部分３１に少なくともその一部が存在する認証欄２２が、上用紙１２の上部から見て、該上用紙１２のそれぞれの当事者の名称欄２１に隣接して設けられていることによって、（２）それぞれの中下用紙１３のそれぞれの認証欄２２に認証が必要な当事者が誰であるか、が示されている
本発明の帳票冊子１１である。
【００６３】
図７、８に、態様２の一例の概略を示す。図７は、全体として４枚の用紙からなっている帳票冊子１１を用紙ごとに縦に並べて、それぞれの記載内容を示しているものである。上から、上用紙１２、１番上の中下用紙１３ａ、上から２番目の中下用紙１３ｂ、上から３番目の中下用紙１３ｃである。以下の態様２の説明において、態様１と共通する内容は省略する場合があるが、共通する内容で省略された部分は態様１と同様である。
【００６４】
上用紙１２には、名称欄２１が２個あり、上から、当事者Ａの名称欄２１Ａ、当事者Ｂの名称欄２１Ｂとなっており、当事者等が、上用紙１２の上から各人の名称を、記入・印字等をするようになっている。上用紙１２に記入・印字等をすれば、それが中下用紙１３に複写されるようになっていることが好ましい。上用紙１２には、更に、帳票の種類の記載２４がある。帳票の種類の記載２４は、用紙の上部にあることが好ましい。たまたま、図７、８の上用紙１２には認証欄２２がないが、上用紙１２には認証欄２２があってもよい。
【００６５】
図７の中下用紙１３ａには、当事者Ａと当事者Ｂの認証が必要で、当事者Ｃの認証は必要がない。従って、当事者Ａの名称欄２１Ａ及び当事者Ａの認証欄２２、並びに、当事者Ｂの名称欄２１Ｂ及び当事者Ｂの認証欄２２があり、当事者Ｃの名称欄２１Ｃと認証欄２２がない。当事者Ａと当事者Ｂは、中下用紙１３ａと中下用紙１３ｂの両方に捺印等をする必要があることを、上用紙１２の上から見るだけで分かるようになっている。すなわち、中下用紙１３ａは上用紙１２からみて延出部分３１があり、その延出部分３１に、認証欄２２があることが、上用紙１２の上から見えるようになっている。すなわち、態様２においては、認証欄２２は、延出部分３１に少なくともその一部が存在することが必須である。なお、認証欄２２には、「印」等と薄く記載されていることが、そこが認証欄２２であることが分かり易い点で好ましい。
【００６６】
また、図７において、当事者Ｃにとっては、延出部分３１であって認証欄２２が本来あるべきところに、限定されるわけではないが、例えば、斜線「／」、「×」等の記載等、捺印等をするべきでない旨が示されていて、それが上用紙１２の上から見えるようになっているので、中下用紙１３ａと中下用紙１３ｂには、自分が捺印等をしなくてもよいことが、上用紙１２の上から分かるようになっている。
【００６７】
すなわち、上用紙１２の上から見える延出部分３１に、中下用紙１３の認証欄２２の場所が示されているので、当事者にとって、認証が必要な中下用紙１３がどれであるかが示されていることになる。
【００６８】
また、図７に示したように、中下用紙１３ａの当事者Ａの認証欄２２は、上用紙１２の上から見て、上用紙１２の当事者Ａの名称欄２１Ａの左側に隣接して存在するので、当事者Ａは、中下用紙１３ａの認証欄２２に、自分の認証が必要であることを、上用紙１２の上から容易に知ることができる。また、図７の場合、中下用紙１３ｂでも同様であり、当事者Ｂでも同様である。
【００６９】
すなわち、中下用紙１３ａのそれぞれの認証欄２２は、上用紙１２の上から見て、上用紙１２のそれぞれの名称欄２１に隣接しているので、それぞれの中下用紙１３のそれぞれの認証欄２２に認証が必要な当事者が誰であるかが分かるようになっている。
【００７０】
図７においては、上用紙１２には当事者Ｃの名称欄２１はなく、名称欄２１Ｂの下の枠には、例えば、支払口座等に関する記載のような「当事者に関するもの以外の記載」のみが記載してある。しかし、図７のように、上用紙１２に、当事者Ｃの「当事者の種類の記載２５」があれば、例えば口座名義人である当事者Ｃは、中下用紙１３ｃに自分が捺印等すべき認証欄２２があることを、上用紙１２の上から見ることによって容易に分かる。中下用紙１３ｃの認証欄２２は、中下用紙１３ｃの延出部分３１に少なくともその一部があるので、上用紙１２の上から見えるからである。
【００７１】
上用紙１２に存在する当事者の種類の記載２５によって、当事者Ｃは、上用紙１２の上から、自分が中下用紙１３ｃのどこの認証欄２２に、自分の捺印等をするべきかが分かる。例えば、当事者Ｃが口座名義人である場合、口座名義人は、支払口座の記載がある中下用紙１３ｃの所定の認証欄２２に、自分の捺印等を行うことが容易にできる。
【００７２】
上記したように、中下用紙１３ｃには、中下用紙１３ｂから見て延出している延出部分３１が存在していて、そこに当事者Ｃの認証欄２２が、上用紙１２の上から見えるようになっている。また、その認証欄２２が当事者Ｃのものかは、上用紙１２に、当事者の種類の記載２５として、当事者Ｃが記載されていることによって、上用紙１２の上から分かるようになっている。当事者の種類の記載２５としては、具体的には例えば、当事者Ｃが口座名義人の場合は、「口座名義人」、「口座名義人は４枚目に捺印して下さい」等が挙げられる。
【００７３】
また、当事者Ｃは、上用紙１２の上から、中下用紙１３ａにも中下用紙１３ｂにも自分の認証欄２２がないことを、例えば、斜線「／」、「×」等の捺印等が必要ない旨の記載があることによって分かるようになっている。図７においては、「×」が記載されている。
【００７４】
態様２においては、各中下用紙１３のそれぞれの認証欄２２は、上用紙１２の上部から見て、上用紙１２のそれぞれの当事者の名称欄２１に隣接して設けられている。更に、中下用紙１３をめくってみても、各中下用紙１３において、各中下用紙１３の認証欄２２は各中下用紙１３の名称欄２１に隣接して存在する。図７では、認証欄２２は名称欄２１の左側に隣接して存在している。そのことによって、名称欄２１と認証欄２２の結び付きの関係を確保でき、両者が一体となっている慣習にも従っていることになる。そして、名称欄２１に隣接して認証欄２２があることによって、捨印とみなされ難くなっている。
【００７５】
図８は、態様２の帳票冊子１１の一例（契約申込書）を、上用紙１２の上から見た図である。この帳票冊子１１は、当事者Ａ（申込者）と当事者Ｂ（連帯保証人）に対して、中下用紙１３ａ（同意書）と中下用紙１３ｂ（契約書）の所定の場所に捺印等をする必要があり、中下用紙１３ｃ（口座依頼書）には捺印等をする必要がないことが示されているようになっている。
【００７６】
また、図８の帳票冊子１１によれば、当事者Ｃ（口座名義人）に対して、中下用紙１３ａ（同意書）と中下用紙１３ｂ（契約書）には捺印等をする必要がなく、中下用紙１３ｃ（口座依頼書）には捺印等をする必要があることが示されている。
【００７７】
図８では、延出部分３１に、認証欄２２の一部が存在することから、上用紙１２の上から見て、中下用紙１３の認証欄２２の場所が示され、認証が必要な中下用紙１３がどれであるかが示され、それぞれの中下用紙１３のそれぞれの認証欄２２に認証が必要な当事者が誰であるかが示されている。また、認証欄２２が上用紙１２の上から見えるので、既に認証済であるか否かが直ぐに分かるようになっている。後記した認識線２７がある帳票冊子１１の場合は、認証されれば常に認識線２７から外に捺印等されるので、すなわち、延出部分３１に捺印等されるので、上用紙１２の上から認証済であるか否かが直ぐに分かる。
【００７８】
態様２においては、延出部分３１の延出幅（一つ上の用紙から延出している長さ）は特に限定はないが、３〜２０ｍｍが好ましく、３．５〜１５ｍｍがより好ましく、４〜１０ｍｍが特に好ましく、４．５〜８ｍｍが更に好ましい。延出幅が短過ぎる場合は、延出部分３１にある認証欄２２の一部が上用紙１２の上から見えなかったり、後記するように、それぞれの延出部分３１にそれぞれの中下用紙１３の帳票の種類を記載し難くなったりする場合がある。一方、延出幅が長過ぎる場合は、Ａ４、Ｂ５等、定型の大きさから大きくずれる用紙ができてしまい、認証後に帳票ごとに分離した場合に保管等がし難くなる場合がある。
【００７９】
上記した通り、用紙サイズが定型からずれると保管等がし難くなる場合があるので、延出幅をあまり長くとることはできない。そのため、たまたま小さい印鑑だったり、認証欄２２の中ではあるが延出部分３１でない部分に捺印等がなされたりした場合は、上用紙１２の上から印影等が見えないので、上用紙１２の上からでは認証済か否かが分からない場合がある。それを防止するため、認証欄２２には認識線２７が設けられていることが好ましい。予め、認識線２７をまたいで認証を行うことにしておけば、印影等の一部が表出し、認証手続きが終了しているか否かを上用紙１２の上から容易に確認することができる。これにより、認証手続き終了後に認証の漏れがないかの確認が容易となる。
【００８０】
図７には、認証欄２２に縦二重線で記載された認識線２７が示されている。認識線２７は、認証欄２２の中で、少なくとも延出部分３１又は「延出部分３１と延出部分３１でない部分の境界Ａ」（すなわち直ぐ上の用紙の位置）に設けられる。境界Ａは、認証欄２２が上用紙１２の上から見える領域と見えない領域の境界であるので、上記効果を奏するために、認識線２７は境界Ａに設けられていることが好ましい。
【００８１】
陰影等が、延出部分３１でない部分にもあることによって、その部分においては擦れや汚れ等から印影を保護することが可能である。
【００８２】
中下用紙１３のそれぞれの延出部分３１には、更に、その中下用紙１３の帳票の種類が記載されていることが、上用紙１２の上から見てその中下用紙１３が何であるかが分かるので好ましい。図８では、中下用紙１３ａの延出部分３１には「同意書」と、中下用紙１３ｂの延出部分３１には「契約書」と、中下用紙１３ａの延出部分３１には「口座依頼書」と、帳票の種類が記載されている。また、中下用紙１３のそれぞれの延出部分３１には、下記する認証欄指示マーク３３が存在してもよい。
【００８３】
なお、態様２において、延出部分３１は、図７と図８においては、帳票冊子１１（中下用紙１３）全て左辺に位置しているが、延出部分３１は上下左右どの辺にあってもよい。
【００８４】
＜態様３＞
本発明は、少なくとも、「当事者の名称欄２１を有する上用紙１２」、及び、「認証が必要な当事者の名称欄２１と認証欄２２とを有する中下用紙１３」を有する帳票冊子１１であって、下に位置する中下用紙１３にはその上に位置する上中用紙から見て延出している延出部分３１が該帳票冊子１１の１辺に存在し、該中下用紙１３のそれぞれの延出部分３１及び／又は上用紙１２に、
（１）認証が必要な中下用紙１３がどれであるか、
（２）それぞれの中下用紙１３のそれぞれの認証欄２２に認証が必要な当事者が誰であるか、
及び、
（３）該中下用紙１３の認証欄２２の場所がどこであるか、
が、該上用紙１２の上部から見て分かるように示されていることを特徴とする帳票冊子１１である。
【００８５】
本発明における態様３は、上記本発明において、
上記中下用紙１３のそれぞれの延出部分３１に、認証欄指示マーク３３が存在することによって、（１）認証が必要な中下用紙１３がどれであるか、が示され、
該認証欄指示マーク３３がそれぞれの中下用紙１３の認証欄２２に隣接して設けられていることによって、（３）該中下用紙１３の認証欄２２の場所が示され、
該認証欄指示マーク３３が、上用紙１２の上部から見て、該上用紙１２のそれぞれの当事者の名称欄２１に隣接して設けられていることによって、（２）それぞれの中下用紙１３のそれぞれの認証欄２２に認証が必要な当事者が誰であるか、が示されている、
本発明の帳票冊子１１である。
【００８６】
図９〜１３に、態様３の一例の概略を示す。図９は、全体として４枚の用紙からなっている帳票冊子１１を用紙ごとに縦に並べて、それぞれの記載内容を示しているものである。以下の態様３の説明において、態様１や態様２と共通する内容は省略する場合があるが、共通する内容で省略された部分は態様１や態様２と同様である。
【００８７】
上用紙１２には、名称欄２１が２個あり、上から、当事者Ａの名称欄２１Ａ、当事者Ｂの名称欄２１Ｂとなっており、当事者等が、上用紙１２の上から各人の名称を、記入・印字等をするようになっている。図９の上用紙１２には、たまたま認証欄２２がないが、上用紙１２には認証欄２２があってもよい。
【００８８】
図９の中下用紙１３ａには、当事者Ａと当事者Ｂの認証が必要で、当事者Ｃの認証は必要がない。従って、当事者Ａの名称欄２１Ａ及び当事者Ａの認証欄２２、並びに、当事者Ｂの名称欄２１Ｂ及び当事者Ｂの認証欄２２があり、当事者Ｃの名称欄２１Ｃと認証欄２２がない。
【００８９】
中下用紙１３ａの延出部分３１には、認証が必要な当事者の認証欄２２に隣接して認証欄指示マーク３３が設けられており、中下用紙１３ａに認証が必要な当事者、図９の場合は、当事者Ａと当事者Ｂは、自分が、中下用紙１３ａの認証欄指示マーク３３に隣接した認証欄２２に捺印等をすればよいことが分かるようになっている。
【００９０】
図９の中下用紙１３ａでは、認証欄指示マーク３３は、斜線が付してある長方形であり、その長方形の横幅は延出部分３１の延出幅に一致している。また、図１０では、認証欄指示マーク３３は黒ベタ（黒の塗りつぶし）であり、延出部分３１に認証欄指示マーク３３の一部が張り出しており、その張り出した部分が上用紙１２の上から見えるようになっている。認証欄指示マーク３３は、少なくとも延出部分３１の一部に存在すればよく、また、延出部分３１には、認証欄指示マーク３３の少なくとも一部が存在すればよい。すなわち、認証欄指示マーク３３は、その存在が上用紙１２の上から見たときに分かるように印されていればよい。
【００９１】
認証欄指示マーク３３は、図９、図１０のように、無模様一色（黒、灰色も含む）でもよいし、模様、図形等であってもよい。帳票冊子１１は、認証後、各用紙単位に分離され、特に事業者は、契約期間中、それを保管する必要がある。そのため、各用紙のサイズは、例えばＡ４等のＪＩＳ規格と同一であるか又は最小限の差異とすることが好ましい。態様３では、認証欄指示マーク３３を用いることによって、なるべく短い（細い）延出幅で本発明の効果を奏するようにしている。従って、延出幅を短くできる点で（延出幅が短くても区別がつき易い点で）、認証欄指示マーク３３は、無模様一色（黒、灰色も含む）が好ましく、延出部分に長方形の無模様一色のベタになっていることがより好ましい。更に、認証欄指示マーク３３は、中下用紙１３の帳票の種類ごとに着色され、色分けされていることが特に好ましい。例えば、図１２において、中下用紙１３ａの左上から右下への斜線部分で示されている長方形の認証欄指示マーク３３が例えば緑色のベタ、中下用紙１３ｂの右上から左下への斜線部分で示されている長方形の認証欄指示マーク３３が例えば赤色のベタ、中下用紙１３ｃの横線の斜線部分で示されている長方形の認証欄指示マーク３３が例えば青色のベタ、というように色分けされていることが特に好ましい。なお、中下用紙１３のそれぞれの延出部分３１には、それぞれの用紙の種類の記載等、文字が記載されていてもよい。
【００９２】
中下用紙１３のそれぞれの延出部分３１に、認証欄指示マーク３３が存在することによって、認証が必要な中下用紙１３がどれであるかが示され、認証欄指示マーク３３がそれぞれの中下用紙１３の認証欄２２に隣接して設けられていることによって、該中下用紙１３の認証欄２２の場所が示されている。
【００９３】
また、中下用紙１３ａの認証欄指示マーク３３は、上用紙１２の上から見て、当事者Ａの上用紙１２の名称欄２１Ａと当事者Ｂの上用紙１２の名称欄２１Ｂにそれぞれ隣接して設けられているので（図９の場合は、上用紙１２の名称欄２１の左に隣接して設けられているので）、当事者Ａと当事者Ｂは、中下用紙１３ａを見れば、その認証欄指示マーク３３の付された中下用紙１３ａにおいて、自分がどこに捺印等をすればよいかが容易に分かる。すなわち、それぞれの当事者の認証欄２２は、認証欄指示マーク３３の右側に隣接して存在するからである。
【００９４】
すなわち、認証欄指示マーク３３が、上用紙１２の上部から見て、該上用紙１２のそれぞれの当事者の名称欄２１に隣接して設けられていることによって、それぞれの中下用紙１３のそれぞれの認証欄２２に認証が必要な当事者が誰であるかが示されている。
【００９５】
態様３においては、延出部分３１に認証欄２２がないので、認証欄２２自体は上用紙１２の上から見えないが、そこに誰の認証欄２２があるかは、上用紙１２の上から認証欄指示マーク３３が見えることによって分かるようになっている。延出部分３１に認証欄２２がないことによって、認証欄２２が表出しないため、認証手続きをした後、上に位置する用紙がかぶさるので、認証欄２２に捺印等されたものを汚れや擦れから保護することができる。
【００９６】
また、図９において、当事者Ｃにとっては、中下用紙１３ａと中下用紙１３ｂには、その延出部分３１に認証欄指示マーク３３がない。そして、中下用紙１３ａと中下用紙１３ｂには、当事者Ｃの認証欄指示マーク３３がないことは、上用紙１２の上から見れば容易に分かる。認証欄２２があるべきところには何もなくてもよいが、例えば、斜線「／」、「×」等の認証が不要である旨が示されていて、それが上用紙１２の上から見えるようになっていてもよい。そうすれば、当事者Ｃにとっては、中下用紙１３ａと中下用紙１３ｂには、自分が捺印等をしなくてもよいことが、上用紙１２の上から分かり易い。
【００９７】
すなわち、上用紙１２の上から延出部分３１を見れば、認証欄指示マーク３３の有無が分かるので、当事者にとって、認証が必要な中下用紙１３がどれであるかが示されていることになる。
【００９８】
図９においては、上用紙１２には当事者Ｃの名称欄２１はなく、名称欄２１Ｂの下の枠には、当事者の種類の記載２５があることにより、当事者Ｃは、中下用紙１３ｃに自分が捺印等すべき認証欄２２があることを、上用紙１２の上から見ることによって容易に分かるようになっている。中下用紙１３ｃの認証欄指示マーク３３は、中下用紙１３ｃの延出部分３１にあるので、上用紙１２の上から見えるからである。
【００９９】
当事者Ｃは、上用紙１２の上から、自分が中下用紙１３ｃのどこの認証欄２２に、自分の捺印等をするべきかが分かる。中下用紙１３ｃの当事者Ｃの認証欄２２は、上用紙１２の上から見える中下用紙１３ｃの認証欄指示マーク３３の右側に隣接して存在するからである。
【０１００】
態様３において、各中下用紙１３のそれぞれの認証欄２２は、上用紙１２の上部から見て、上用紙１２のそれぞれの当事者の名称欄２１の左に隣接して設けられている認証欄指示マーク３３の右に隣接して設けられている。更に、中下用紙１３をめくってみても、各中下用紙１３において、各中下用紙１３の認証欄２２は各中下用紙１３の名称欄２１の左に隣接して存在する。そのことによって、名称欄２１と認証欄２２の結び付きの関係を確保でき、両者が一体となっている慣習にも従っていることになる。そして、名称欄２１に隣接して認証欄２２があることによって、捨印とみなされ難くなっている。
【０１０１】
図１０は、態様３の帳票冊子１１の一例（契約申込書）を、上用紙１２の上から見た図である。この帳票冊子１１によれば、当事者Ａ（申込者）と当事者Ｂ（連帯保証人）に対して、中下用紙１３ａと中下用紙１３ｂには認証欄指示マーク３３が見えるので、中下用紙１３ａと中下用紙１３ｂの所定の場所に捺印等をする必要があり、中下用紙１３ｃには認証欄指示マーク３３がないことが見えるので、中下用紙１３ｃには捺印等をする必要がないことが示されている。
【０１０２】
また、図１０の帳票冊子１１によれば、当事者Ｃ（口座名義人）に対して、中下用紙１３ａ（同意書）と中下用紙１３ｂ（契約書）には、認証欄指示マーク３３がないので、捺印等をする必要がなく、中下用紙１３ｃ（口座依頼書）には、認証欄指示マーク３３が見えるので、捺印等をする必要があることが示されている。
【０１０３】
また、図１１に示したように、中下用紙１３の認証欄２２と認証欄指示マーク３３とが接続線２３で結ばれていることも好ましい。通常の帳票のように、名称欄２１の右側等に名称欄２１に隣接して認証欄２２がある場合において、その認証欄２２と離れた位置にある認証欄指示マーク３３とが接続線２３で結ばれていることも好ましい。本発明の態様３では、接続線２３で結ばれた認証欄２２と認証欄指示マーク３３も互いに「隣接」するという。中下用紙１３の認証欄２２は上用紙１２の上からは見えず、認証欄指示マーク３３は上用紙１２の上から見えるので、上用紙１２の上からどの中下用紙１３に捺印等をすればよいかが分かり、また、中下用紙１３を捲り、上用紙１２の上から見える自分の認証欄指示マーク３３から、その中下用紙１３において、接続線２３を辿っていけば自分が捺印等すべき認証欄２２に辿り着く。このように接続線２３を利用すれば、名称欄２１の右側等に認証欄２２がある通常の帳票の版下が流用できる。
【０１０４】
態様３においては、延出部分３１の延出幅（一つ上の用紙から延出している長さ）は特に限定はないが、０．３〜１０ｍｍが好ましく、０．５〜５ｍｍがより好ましく、１〜３ｍｍが特に好ましい。延出幅が短過ぎる場合は、延出部分３１にある認証欄指示マーク３３が上用紙１２の上から見えない場合がある。一方、延出幅が長過ぎる場合は、Ａ４、Ｂ５等、定型の大きさから大きくずれる用紙ができてしまい、認証後に帳票ごとに分離した場合に保管等がし難くなる場合がある。
【０１０５】
なお、態様３において、延出部分３１は、図９、図１０、図１２においては、帳票冊子１１（中下用紙１３）全て左辺に位置しているが、延出部分３１は、帳票冊子１１（中下用紙１３）の上下左右どの辺にあってもよい。
【０１０６】
態様３においては、上記したものの上に、図１２及び図１３に示したように、更に説明用紙１４を有することが好ましい。すなわち、上用紙１２の上に、更に説明用紙１４を有する帳票冊子１１であって、その説明用紙１４に、上記認証欄指示マーク３３に隣接する認証欄２２に認証が必要な当事者が誰であるかが、認証欄指示マーク３３ごとに示されていることが好ましい。すなわち、図１２、図１３に示したように、説明用紙１４の上に、「認証欄指示マークに対応する当事者の明示」３４が存在することが、認証欄指示マーク３３がどの当事者に対応するかを分かり易くするために好ましい。
【０１０７】
図１２に、態様３の帳票冊子１１を説明用紙１４の上から見た図を示す。図１２では、説明用紙１４とそれぞれの中下用紙１３の延出部分３１が表されており、上用紙１２は説明用紙１４と同じ大きさであるため、説明用紙１４の真下になって表されていない。
【０１０８】
当事者Ａは、「認証欄指示マークに対応する当事者の明示」３４に、「当事者Ａ  認証」と書かれた説明が指し示している２個の認証欄指示マーク３３（中下用紙１３ａでは左上から右下への斜線の長方形であり、中下用紙１３ｂでは右上から左下への斜線の長方形である）のあるページをめくり、認証欄指示マーク３３に隣接する認証欄２２に、捺印等をすればよいようになっている。同様に、当事者Ｂも、「認証欄指示マークに対応する当事者の明示」３４に、「当事者Ｂ  認証」と書かれた説明が指し示している２個の認証欄指示マーク３３の付された中下用紙１３の認証欄指示マーク３３に隣接する認証欄２２に、捺印等をすればよいように、説明用紙１４はなっている。更に、認証が必要ない中下用紙１３には認証欄指示マーク３３がない（図１２では「×」で示されている）ので、当事者Ａと当事者Ｂは、その中下用紙１３には捺印等をする必要がないことが分かるようになっている。
【０１０９】
また、当事者Ｃは、「認証欄指示マークに対応する当事者の明示」３４に、「当事者Ｃ  認証」と書かれた説明が指し示している、横線の長方形である１個の認証欄指示マーク３３のある中下用紙１３ｃをめくり、中下用紙１３ｃに存在する認証欄指示マーク３３に隣接する認証欄２２だけに捺印等をすればよいことが分かるようになっている。
【０１１０】
態様３に係る帳票冊子１１は、認証後に帳票ごとに分離した場合の保管等を考慮して用紙サイズをそろえるために延出幅を短くし、短い延出幅の延出部分３１であっても、めくらずに上からよく見えるように認証欄指示マーク３３を設けたものである。従って、態様１や態様２と異なり、短い延出幅の延出部分３１には文字が書けない場合がある。そのため、上用紙１２の上に説明用紙１４を設けて、そこに、「認証欄指示マークに対応する当事者の明示」３４をする等して、それぞれの認証欄指示マーク３３が誰のものかを示すことが特に好ましい。
【０１１１】
＜態様１〜３共通＞
本発明の帳票冊子１１においては、認証欄２２又は認証欄指示マーク３３が並んだ辺と直交する辺において、帳票冊子１１の全ての用紙が綴じられていることが好ましい。特に、態様２においては、認証欄２２が並んだ辺と直交する辺が、接着等の手段で帳票冊子１１の全ての用紙が綴じられていることが好ましい。また、態様３においては、認証欄２２や認証欄指示マーク３３が並んだ辺と直交する辺が、接着等の手段で帳票冊子１１の全ての用紙が綴じられていることが好ましい。具体的には、例えば態様２の場合、図７と図８は何れも帳票冊子１１の左辺に認証欄２２があるので、それと直交する上辺が綴じられている。また、態様３の場合、図９、図１０、図１２は、何れも帳票冊子１１の左辺に認証欄指示マーク３３や認証欄２２があるので、それと直交する上辺が綴じられている。
【０１１２】
各用紙の綴じを、認証欄２２の存在する辺とは反対側の辺で行った場合、当事者は用紙を少し捲るだけで捺印等の認証手続きを認証欄２２に行えてしまう。それでは、用紙を開いたとしても、十分に書面を読むような構造になっているとはいえず、内容を確認しなくても認証できてしまう場合がある。そこで、本発明の帳票冊子１１は、態様２と態様３においては、認証欄２２及び／又は認証欄指示マーク３３の存在する辺に直交する辺で綴じることが、当事者は用紙をきちんと捲らなければ捺印等が行えなくなるため好ましい。
【０１１３】
本発明は、「当事者の名称欄２１を有する上用紙１２」及び「認証が必要な当事者の名称欄２１と認証欄２２とを有する中下用紙１３」を有する帳票冊子１１である。ここで、当事者の種類は１種以上であれば特に限定はないが、認証欄２２の場所が分かり易く、他の当事者の認証欄２２に捺印等をしてしまうことを防止できるという本発明の効果をより発揮するために、２種以上の当事者がいる場合が好ましい。
【０１１４】
本発明の帳票冊子１１においては、中下用紙１３の枚数は１枚以上であり、上用紙１２と合わせて２枚以上（複数枚）の用紙からなることが必須であるが、自分が認証をするべき用紙がどれであるかが分かり易いという本発明の効果をより発揮するために、２枚以上の中下用紙１３がある場合が好ましい。中下用紙１３は、特に好ましくは３枚以上である。
【０１１５】
本発明の帳票冊子１１には、上用紙１２と中下用紙１３は必須であるが、前記した通り、説明用紙１４を上用紙１２の上に更に有していてもよく、また、上用紙１２や中下用紙１３の間や下に、更に、認証欄２２も有さない「他の用紙」が挿入されていてもよい。「他の用紙」としては、契約や申込の方法、注意点、契約約款、同意事項等が記載された用紙が挙げられる。
【０１１６】
また、前記した延出部分３１は、通常、帳票冊子１１の１辺に設けられるが、図１３に示したように、このような延出部分３１が存在する帳票冊子１１において、延出部分３１が存在する辺と直角に位置する辺にも、直交延出部分３２が存在し、該直交延出部分３２に、上用紙１２、中下用紙１３、説明用紙１４、他の用紙等の用紙のそれぞれの内容が記載されている帳票冊子１１が好ましい。
【０１１７】
図１３に、直交延出部分３２のある帳票冊子１１のほぼ左半分を、説明用紙１４の上から見た図を示す。なお、一番上の用紙は、説明用紙１４ではなくても本発明に含まれる。図１３の帳票冊子１１は上側が綴じてあり、左側に延出部分３１、下側（延出部分３１がある辺に直交する辺）に直交延出部分３２がある。直交延出部分３２により、当事者はそれぞれの用紙の内容を、帳票冊子の上から、より簡単に知ることができる。図１３では、それぞれの用紙の直交延出部分３２には、例えば、「（裏面）個人情報の取扱いに関する同意条項（連帯保証人予定者用）」、「クレジット契約についてのご説明（ご利用のお客様へ）」及び「１枚目お申込みの内容」と記載されているが、各用紙の直交延出部分３２に記載される文言や内容はこれらには限定されない。延出部分３１には帳票（用紙）の種類を記載し、直交延出部分３２には帳票（用紙）の種類以外の内容を記載することも特に好ましい。
【０１１８】
また、延出部分３１や直交延出部分３２には、上記した用途・効果の他に、帳票冊子をめくり易くするという効果もある。
【０１１９】
図１３は、上用紙１２の上に更に説明用紙１４を有する帳票冊子１１であり、該説明用紙１４に、それぞれの当事者が捺印等をする中下用紙１３とその中下用紙１３における認証欄２２の場所が示されている。図１３は、上から認証欄指示マーク３３が見え、上記態様３に係る帳票冊子１１を上から見た図である。上記したように、説明用紙１４は、態様３で特に有用であるが、態様３に限らず、態様１や態様２でも有用である。説明用紙１４には、「上用紙１２の上から見える認証欄２２の少なくとも一部」（態様１又は態様２の場合）、又は、認証欄指示マーク３３（態様３の場合）が、それぞれ当事者の誰のものであるかが、「認証欄指示マークに対応する当事者の明示」３４によって示されている。
【０１２０】
本発明は、認証欄２２を名称欄２１に結びつけて、その名称の者が認証したことが明確になっていることを前提に、当事者が捺印等するときの便宜を図ったものであるが、認証欄２２と並行して捨印欄に適用してもよい。すなわち、捨印をするべき当事者、中下用紙１３、その中下用紙１３における捨印欄の場所等を、上用紙１２の上から、好ましくは上用紙１２の上からでも説明用紙１４の上からでも、分かり易くすることが好ましい。図１３では、説明用紙１４に、捺印等をする認証欄２２に加えて捨印欄の場所等も、「認証欄指示マークに対応する当事者の明示」３４によって示されている。
【０１２１】
説明用紙１４には、各用紙の見出し、各用紙の保管者、各用紙にどの当事者の認証欄２２があるか、各用紙にどの当事者の認証欄指示マーク３３があるか（すなわち、認証欄指示マークに対応する当事者の明示３４）、帳票冊子１１の各帳票の内容説明等が記載されていることが好ましい。
【０１２２】
本発明の帳票冊子１１を構成する上用紙１２及び中下用紙１３は、ノーカーボン紙（感圧複写紙）、感熱複写紙、感熱感圧複写紙等の複写紙であることが好ましい。また、各用紙の裏面にも文字が記載されていてもよい。
【０１２３】
また、帳票冊子１１を使用する時に上記したような形態になっていれば本発明に含まれるのであって、例えば、帳票冊子１１の販売時又は帳票冊子１１を当事者等に渡す時には延出部分３１がなく、捺印等をしたり用紙の記載を読んだりする帳票冊子１１の使用時に、ミシン目に沿って切ることによって、始めて延出部分３１ができ上記した形態になる場合も本発明に含まれる。また、延出部分３１がミシン目等に沿って切り取ること等によって形成されるようになってさえいれば、実際に使用する時に切り取ることをせずに、すなわち延出部分３１を形成させなかったとしても本発明に含まれる。
【産業上の利用可能性】
【０１２４】
本発明の、延出部分３１が存在する帳票冊子１１は、認証が必要な用紙、認証が必要な当事者、認証欄２２の場所がどこであるかが、帳票冊子１１又は上用紙１２の上から分かるので、クレジット申込書、同意書、確認書、物件受領書、入会申込書、保険契約申込書、加入依頼書、口座設定申込書、クレジット契約書、リース契約書、不動産賃貸借契約書、口座振替依頼書等の帳票作成用に広く用いられ、また、種々の当事者に対しても、種々の事業者に対しても、広く利用されるものである。
【図面の簡単な説明】
【０１２５】
【図１】本発明の態様１に係る帳票冊子を用紙ごとに縦に並べて、それぞれの用紙の記載内容の一例を示す図である。
【図２】本発明の態様１に係る帳票冊子を構成する上用紙の一例を示す図である。
【図３】本発明の態様１に係る帳票冊子を、それぞれの用紙を縦にばらして並べたときの一例を示す斜視図である。
【図４】本発明の態様１に係る帳票冊子を上用紙の上から見た一例を示す図である。
【図５】本発明の態様１に係る帳票冊子を上用紙の上から見た一例を示す図である。
【図６】本発明の態様１に係る帳票冊子を、それぞれの用紙を縦にばらして並べたときの一例を示す斜視図である。
【図７】本発明の態様２に係る帳票冊子を用紙ごとに縦に並べて、それぞれの用紙の記載内容の一例を示す図である。
【図８】本発明の態様２に係る帳票冊子を上用紙の上から見た一例を示す図である。
【図９】本発明の態様３に係る帳票冊子を用紙ごとに縦に並べて、それぞれの用紙の記載内容の一例を示す図である。
【図１０】本発明の態様３に係る帳票冊子を上用紙の上から見た一例を示す図である。
【図１１】本発明の態様３に係る帳票冊子の１枚の中下用紙であり、接続線使用したものの一例を示す図である。
【図１２】本発明に係る帳票冊子で説明用紙のあるものを、説明用紙の上から見た一例を示す図である。
【図１３】本発明に係る帳票冊子で説明用紙と直交延出部分のあるものを、説明用紙の上から見た一例を示す図である。
【符号の説明】
【０１２６】
１１    帳票冊子
１２    上用紙
１３    中下用紙
１３ａ  １番上の中下用紙
１３ｂ  上から２番目の中下用紙
１３ｃ  上から３番目の中下用紙
１４    説明用紙
２１    名称欄
２１Ａ  当事者Ａの名称欄
２１Ｂ  当事者Ｂの名称欄
２１Ｃ  当事者Ｃの名称欄
２２    認証欄
２３    接続線
２４    帳票の種類の記載
２５    当事者の種類の記載
２６    認証した当事者の種類明示欄
２７    認識線
３１    延出部分
３２    直交延出部分
３３    認証欄指示マーク
３４    認証欄指示マークに対応する当事者の明示
【図１】
2010089314.tif 000003
【図２】
2010089314.tif 000004
【図３】
2010089314.tif 000005
【図４】
2010089314.tif 000006
【図５】
2010089314.tif 000007
【図６】
2010089314.tif 000008
【図７】
2010089314.tif 000009
【図８】
2010089314.tif 000010
【図９】
2010089314.tif 000011
【図１０】
2010089314.tif 000012
【図１１】
2010089314.tif 000013
【図１２】
2010089314.tif 000014
【図１３】
2010089314.tif 000015